(57)【要約】      （修正有）【課題】半開状態の把握を簡単な構造で実現でき、検知精度において環境の影響を受けにくい原稿カバーを提供する。【解決手段】画像読取装置１は、原稿Ｐを載置する載置面３を有する原稿台５と、回動軸７を中心に回動して、閉状態と開状態とに変位する原稿カバー９と、原稿台側に配置され、外力を受けてスイッチを押圧する押圧部１３と、原稿カバー側に配置され、押圧部に対して外力を付与可能な位置に回動可能に設けられた回動レバー１５と、回動レバーの一端側を原稿カバーから遠ざかる方向に付勢する付勢部材とを備える。原稿カバーが所定の角度になった際、回動レバーの一端が押圧部を押し下げてスイッチの状態を変化させ、該所定の角度から閉状態に変位する過程では、回動レバーの一端が原稿カバーに近づく方向に回動しながら、スイッチの状態を維持するように構成されている。【選択図】図１
2018121161.tif 000002
【特許請求の範囲】
【請求項１】
原稿を載置する載置面を有する原稿台と、
回動軸を中心に回動して、前記原稿台を覆う閉状態と、前記原稿台を開放する開状態とに変位する原稿カバーと、
前記原稿台の側に配置され、外力を受けてスイッチを押圧する押圧部と、
前記原稿カバーの側に配置され、前記押圧部に対して前記外力を付与可能な位置に回動可能に設けられた回動レバーと、
前記回動レバーの一端側を前記原稿カバーから遠ざかる方向に付勢力を付与する付勢部材と、を備え、
前記原稿カバーが前記開状態から前記閉状態に変位する過程で所定の角度となった際に、前記回動レバーの一端が、前記押圧部に前記外力を作用させて該押圧部を押し下げて前記スイッチの状態を変化させ、
前記所定の角度から、前記閉状態に変位する過程においては、前記回動レバーの一端が、前記付勢力に抗して前記原稿カバーに近づく方向に回動しながら、前記押圧部を押し下げて前記スイッチの前記状態を維持する、ことを特徴とする画像読取装置。
【請求項２】
請求項１に記載の画像読取装置において、
前記原稿カバーにはカバー側開口が設けられ、
前記回動レバーは、他端が前記カバー側開口内に位置し、前記一端は前記付勢力により前記カバー側開口外に突出し、前記他端側を支点として回動する、ことを特徴とする画像読取装置。
【請求項３】
請求項２に記載の画像読取装置において、
前記原稿カバーが前記閉状態のときは、前記回動レバーは前記一端側の少なくとも一部が前記押圧部に接した状態で前記付勢力に抗して前記カバー側開口内に収納される、ことを特徴とする画像読取装置。
【請求項４】
請求項１から３のいずれか一項に記載の画像読取装置において、
前記スイッチは上下方向において前記原稿台の表面より下方に配置され、
前記押圧部の前記回動レバーと接触する部位が前記原稿台に形成された原稿台側開口から前記原稿カバー側に突出している、ことを特徴とする画像読取装置。
【請求項５】
請求項１から４のいずれか一項に記載の画像読取装置において、
原稿台に載置された原稿のサイズを検知するサイズ検知機構を備え、
前記原稿カバーが前記開状態から前記閉状態に変位する過程で前記スイッチの状態が変化したことをトリガーとして前記サイズ検知機構を作動させる、ことを特徴とする画像読取装置。
【請求項６】
本体部と、
回動軸を中心に回動して、前記本体部の一面を覆う閉状態と、前記本体部の一面を開放する開状態とに変位する開閉カバーと、
前記本体部の側に配置され、外力を受けてスイッチを押圧する押圧部と、
前記開閉カバーの側に配置され、前記押圧部に対して前記外力を付与可能な位置に回動可能に設けられた回動レバーと、
前記回動レバーの一端側を前記開閉カバーから遠ざかる方向に付勢力を付与する付勢部材と、を備え、
前記開閉カバーが前記開状態から前記閉状態に変位する過程で所定の角度となった際に、前記回動レバーの一端が、前記押圧部に前記外力を作用させて該押圧部を押し下げて前記スイッチの状態を変化させ、
前記所定の角度から、前記閉状態に変位する過程においては、前記回動レバーの一端が、前記付勢力に抗して前記開閉カバーに近づく方向に回動しながら、前記押圧部を押し下げて前記スイッチの前記状態を維持することを特徴とする処理装置。
【発明の詳細な説明】
【技術分野】
【０００１】
本発明は、いわゆるスキャナー等の画像読取装置及び開閉カバーを有する処理装置に関する。
【背景技術】
【０００２】
この種の画像読取装置等において、例えばセットされた原稿のサイズを装置自体が検知する構造のものがあるが、その検知を行う際に、原稿カバーとなる開閉カバーを半開の状態にして行うものがある。開閉カバーが全開の状態では原稿サイズを検知するための反射式の光学センサーが外光の影響を受けて検知精度が低下し、一方全閉の状態では、前記開閉カバーに通常設けられている原稿抑えマットの反射率が原稿の反射率と近いものが使われていることが多いために前記光学センサーの検知精度が低下するからである。  
該開閉カバーが半開状態であることを把握するためにも別のセンサーが設けられる。特許文献１には、この半開把握用センサーとして透過型の光学センサーであるフォトインタラプタが使用され、該光学センサーが開閉カバーの開閉揺動の基点側に設けられている構造が記載されている。  
また、原稿サイズを検知する従来文献として特許文献２も挙げられる。この特許文献２には、原稿サイズを検知するための光学センサーの光軸を傾けた構造が開示されている。
【先行技術文献】
【特許文献】
【０００３】
【特許文献１】特開２０１６−１１９５７１号公報
【特許文献２】特開２０１５−７５６４５号公報
【発明の概要】
【発明が解決しようとする課題】
【０００４】
しかし、従来は開閉カバーの半開状態を把握する構造が透過型の光学センサーを用いる構造であるため、該光学センサーが環境の影響（不浄空気等）により経時的に検出精度が低下する問題があり、また透過型の光学センサーを用いることで構造が複雑化すると共にコストアップにつながる問題があった。
【０００５】
本発明の目的は、開閉カバーの半開状態の把握を簡単な構造で実現でき、検知精度において環境の影響を受けにくくすることにある。
【課題を解決するための手段】
【０００６】
上記課題を解決するための本発明の第１の態様の画像読取装置は、原稿を載置する載置面を有する原稿台と、回動軸を中心に回動して、前記原稿台を覆う閉状態と、前記原稿台を開放する開状態とに変位する原稿カバーと、前記原稿台の側に配置され、外力を受けてスイッチを押圧する押圧部と、前記原稿カバーの側に配置され、前記押圧部に対して前記外力を付与可能な位置に回動可能に設けられた回動レバーと、前記回動レバーの一端側を前記原稿カバーから遠ざかる方向に付勢力を付与する付勢部材とを備え、前記原稿カバーが前記開状態から前記閉状態に変位する過程で所定の角度となった際に、前記回動レバーの一端が、前記押圧部に前記外力を作用させて該押圧部を押し下げて前記スイッチの状態を変化させ、前記所定の角度から、前記閉状態に変位する過程においては、前記回動レバーの一端が、前記付勢力に抗して前記原稿カバーに近づく方向に回動しながら、前記押圧部を押し下げて前記スイッチの前記状態を維持する、ことを特徴とする。
【０００７】
本態様によれば、前記原稿カバーが前記開状態から前記閉状態に変位する過程で所定の角度となった際に、前記回動レバーの一端が、前記押圧部に前記外力を作用させて該押圧部を押し下げて前記スイッチの状態を変化させる。例えば前記スイッチの状態をOFF状態からON状態に変化させる。そして、原稿カバーが前記所定の角度から、前記閉状態に変位する過程においては、前記回動レバーの一端が、前記付勢力に抗して前記原稿カバーに近づく方向に回動しながら、前記押圧部を押し下げて前記スイッチの前記状態を維持する。  
これにより、原稿カバーの半開状態の把握を簡単な構造で実現することができる。また、従来のような透過型の光学センサーを用いないので、構造が複雑化することなくコストダウンを図ることができると共に、検知精度において環境の影響を受けにくくすることができる。  
ここで、「半開状態」とは、本願明細書においては、全開状態に対して半分開いた状態というより、全開でも全閉でもない状態という意味で使われている。
【０００８】
本発明の第２の態様の画像読取装置は、第１の態様において、前記原稿カバーにはカバー側開口が設けられ、前記回動レバーは、他端が前記カバー側開口内に位置し、前記一端は前記付勢力により前記カバー側開口外に突出し、前記他端側を支点として回動する、ことを特徴とする。
【０００９】
本態様によれば、前記回動レバーは、他端が原稿カバーのカバー側開口内に位置し、前記一端は前記付勢力により前記カバー側開口外に突出し、前記他端側を支点として回動する。これにより、回動レバーを安定して回動動作させることができる。
【００１０】
本発明の第３の態様の画像読取装置は、第２の態様において、前記原稿カバーが前記閉状態のときは、前記回動レバーは前記一端側の少なくとも一部が前記押圧部に接した状態で前記付勢力に抗して前記カバー側開口内に収納される、ことを特徴とする。
【００１１】
本態様によれば、原稿カバーが前記閉状態のときは、前記回動レバーは前記カバー側開口内に収納される。これにより、回動レバーを設けたことによる装置の高さ方向のコンパクト化を実現することができる。
【００１２】
本発明の第４の態様の画像読取装置は、第１の態様から第３の態様のいずれか１つの態様において、前記スイッチは上下方向において前記原稿台の表面より下方に配置され、前記押圧部の前記回動レバーと接触する部位が前記原稿台に形成された原稿台側開口から前記原稿カバー側に突出している、ことを特徴とする。
【００１３】
本態様によれば、原稿台からは押圧部の一部だけが原稿カバー側に突出するだけであるので、スイッチのON状態とOFF状態の切り換えを、前記原稿カバーの開閉動作によって安定して行うことができる。即ち、前記回動レバーの一端が前記押圧部に当接し該押圧部を押し下げて前記スイッチの状態を変化させた後は、前記原稿カバーが閉状態に移行するまで、前記回動レバーの一端は前記原稿台側開口の周囲の原稿台の表面に接して、それ以上の下方への移動が規制されて該原稿台の表面を滑るようにして水平に移動する。これにより前記押圧部の押し込み高さを規定してスイッチを押せない、あるいは押し過ぎとなる不具合を防止することができる。
【００１４】
本発明の第５の態様の画像読取装置は、第１の態様から第４の態様のいずれか１つの態様において、原稿台に載置された原稿のサイズを検知するサイズ検知機構を備え、前記原稿カバーが前記開状態から前記閉状態に変位する過程で前記スイッチの状態が変化したことをトリガーとして前記サイズ検知機構を作動させる、ことを特徴とする。
【００１５】
本態様によれば、原稿のサイズを検知するためのサイズ検知機構として反射式の光学センサーを用いた場合でも、原稿カバーを半開状態にして外光の影響等を受けにくくし、原稿抑えマットを原稿と誤認してしまう虞を低減することができると共に、その半開状態を簡単な構造で把握することができる。
【００１６】
上記課題を解決するための本発明の第６の態様の処理装置は、本体部と、回動軸を中心に回動して、前記本体部の一面を覆う閉状態と、前記本体部の一面を開放する開状態とに変位する開閉カバーと、前記本体部の側に配置され、外力を受けてスイッチを押圧する押圧部と、前記開閉カバーの側に配置され、前記押圧部に対して前記外力を付与可能な位置に回動可能に設けられた回動レバーと、前記回動レバーの一端側を前記開閉カバーから遠ざかる方向に付勢力を付与する付勢部材と、を備え、前記開閉カバーが前記開状態から前記閉状態に変位する過程で所定の角度となった際に、前記回動レバーの一端が、前記押圧部に前記外力を作用させて該押圧部を押し下げて前記スイッチの状態を変化させ、前記所定の角度から、前記閉状態に変位する過程においては、前記回動レバーの一端が、前記付勢力に抗して前記開閉カバーに近づく方向に回動しながら、前記押圧部を押し下げて前記スイッチの前記状態を維持することを特徴とする。
【００１７】
本態様によれば、前記開閉カバーが前記開状態から前記閉状態に変位する過程で所定の角度となった際に、前記回動レバーの一端が、前記押圧部に前記外力を作用させて該押圧部を押し下げて前記スイッチの状態を変化させる。例えばOFF状態からON状態に変化させる。そして、前記開閉カバーが前記所定の角度から、前記閉状態に変位する過程においては、前記回動レバーの一端が、前記付勢力に抗して前記開閉カバーに近づく方向に回動しながら、前記押圧部を押し下げて前記スイッチの前記状態を維持する。  
これにより、開閉カバーの半開状態の把握を簡単な構造で実現することができる。また、従来のような透過型の光学センサーを用いないので、構造が複雑化することなくコストダウンを図ることができると共に、検知精度において環境の影響や開閉カバーに設けられる原稿抑えマットの誤認による影響を受けにくくすることができる。  
ここで、「半開状態」とは、本願明細書においては、全開状態に対して半分開いた状態というより、全開でも全閉でもない状態という意味で使われている。
【図面の簡単な説明】
【００１８】
【図１】本発明の実施形態に係る画像読取装置の開状態の外観を表す斜視図。
【図２】本発明の実施形態に係る画像読取装置の半開状態の外観を表す斜視図。
【図３】本発明の実施形態に係る画像読取装置の閉状態の外観を表す斜視図。
【図４】本発明の実施形態に係る画像読取装置の開状態における回動レバーと押圧部の位置関係を表す斜視図。
【図５】本発明の実施形態に係る画像読取装置の半開状態における回動レバーと押圧部の位置関係を表す斜視図。
【図６】本発明の実施形態に係る画像読取装置の閉状態における回動レバーと押圧部の位置関係を表す斜視図。
【図７】本発明の実施形態に係る画像読取装置の開状態における回動レバーと押圧部の位置関係を表す側断面図。
【図８】本発明の実施形態に係る画像読取装置の半開状態における回動レバーと押圧部の位置関係を表す側断面図。
【図９】本発明の実施形態に係る画像読取装置の閉状態における回動レバーと押圧部の位置関係を表す側断面図。
【図１０】本発明の実施形態に係る画像読取装置の原稿カバーで保管するときの回動レバーの収納状態を表す側断面図。
【図１１】本発明の実施形態に係る画像読取装置の回動レバーと付勢部材を表す斜視図。
【図１２】本発明の実施形態に係る画像読取装置の原稿サイズ検知処理の流れの概念を表すフローチャート及び概念図。
【図１３】本発明の実施形態に係る画像読取装置の原稿カバーの開閉状態と開閉状態検知センサーの出力との関係を図表化して表す説明図。
【図１４】本発明の実施形態に係る画像読取装置の開閉状態検知センサーの故障状態と故障記号の関係を図表化して表す説明図。
【図１５】本発明の実施形態に係る画像読取装置の開閉状態検知センサーの故障状態と各状態での対応を図表化して表す説明図。
【図１６】本発明の実施形態に係る画像読取装置の原稿サイズ検知処理シーケンスの流れを表すフローチャート。
【図１７】本発明の実施形態に係る画像読取装置の原稿の有無判定の流れを表すフローチャート。
【図１８】本発明の実施形態に係る画像読取装置の原稿のサイズ判定の流れを表すフローチャート。
【図１９】本発明の実施形態に係る画像読取装置の原稿サイズと原稿サイズ検知センサーの位置関係を表す平面図。
【図２０】本発明の実施形態に係る画像読取装置の原稿サイズと原稿サイズ検知センサーの検出の有無の関係を図表化して表す説明図。
【発明を実施するための形態】
【００１９】
以下に、本発明の実施形態に係る画像読取装置として、いわゆるフラットベッド型のイメージスキャナーを例にとって本発明の画像読取装置及び処理装置について、添付図面を参照して詳細に説明する。  
尚、以下の説明では、最初に図１から図３に基づいて本発明の実施形態に係る画像読取装置の全体構成の概略について説明する。次に、図４から図１１に基づいて当該画像読取装置の特徴的構成となる回動レバー及び押圧部周辺の構成と、原稿カバーの各開閉状態に対応した回動レバーの動きと押圧部を介して実行されるスイッチの状態変化の関係を具体的に説明する。
【００２０】
更にこれに続いて、本発明の実施形態に係る画像読取装置を使用することによって実行される原稿の有無の判定及び原稿カバーの開閉状態の検知から原稿サイズ検出までの検知処理の内容の一例を図１２から図２０に基づいて具体的に説明する。  
そして、最後に前記本発明の画像読取装置の特徴的構成を他の装置（本発明の処理装置を含む）に適用した実施形態を、他の実施形態の説明の中で言及する。
【００２１】
（１）画像読取装置の全体構成の概略（図１から図３参照）
本発明の実施形態に係る画像読取装置１は、原稿Ｐを載置する載置面３を有する原稿台５と、回動軸７を中心に回動して、原稿台５を覆う閉状態と、原稿台５を開放する開状態とに変位する原稿カバー９と、原稿カバー半開状態検知機構としての、原稿台５の側に配置され、外力Ｆを受けて開閉状態検知センサーとなる半開状態検知用のスイッチ１１（図７等参照）を押圧する押圧部１３と、原稿カバー９の側に配置され、押圧部１３に対して外力Ｆを付与可能な位置に回動可能に設けられた回動レバー１５と、該回動レバー１５の一端１７（図４等参照）側を原稿カバー９から遠ざかる方向Ｒに付勢力を付与する付勢部材１９（図６等参照）と、を備えることによって基本的に構成されている。
【００２２】
そして、原稿カバー９が前記開状態から前記閉状態に変位する過程で所定の角度θ（一例として２０°±５°、好ましくは１８°）になった際に、回動レバー１５の一端１７が、押圧部１３に外力Ｆ（図８等参照）を作用させて該押圧部１３を押し下げてスイッチ１１の状態（例えばＯＮ状態とＯＦＦ状態）を変化させる。前記所定の角度θから、前記閉状態に変位する過程においては、回動レバー１５の一端１７が、前記付勢力に抗して原稿カバー１５に近づく方向Ｃに回動しながら、継続して押圧部１３を押し下げてスイッチ１１の前記状態を維持するようになっている。
【００２３】
また、図示の実施形態では、開閉状態検知センサーとして閉状態を検知する一例として機械式接点センサーによって構成されるセンサー２１が前記原稿台５の表面における前後方向Ｈの装置前面側の先端２３側の位置に設けられている。  
更に、原稿台５の載置面３を形成する透過ガラス等の下方には、一例として光センサーによって構成される７個の原稿サイズ検知センサー２７Ａ、２７Ｂ、２７Ｃ、２７Ｄ、２７Ｅ、２７Ｆ、２７Ｇを備えることによって構成されるサイズ検知機構２５が設けられている。そして、これら７個の原稿サイズ検知センサー２７Ａ〜２７Ｇの検知結果の組み合わせによって原稿台５の載置面３にセットされた原稿Ｐの向きとサイズが検知されるようになっている。
【００２４】
この他、本実施形態では、原稿カバー９に対して自動原稿送り装置（ＡＤＦ）２９と原稿抑えマット３１が設けられており、原稿台５の載置面３における左右方向Ｖの左端近傍には載置面３にセットされた原稿Ｐの内容を読み取る読取部３３が設けられている。  
尚、以下の説明では図１に表す原稿カバー９をいっぱいに開いた状態を全開状態、該全開状態から図２に表す半開状態での検知を開始する前までの状態を開状態、図２に表す状態から図３に表す状態に至る前までの状態を半開状態、図３に表す原稿カバー９を完全に閉めて原稿台５の載置面３を塞いだ状態を閉状態または全閉状態と便宜上定義して説明する。
【００２５】
また、原稿台５の載置面３の左右方向をＶ、前後方向をＨとし、載置面３の左後方のコーナー部を、原稿Ｐをセットする際の基準となる基準点Ｏとする。更に、左右方向Ｖの基準点Ｏ側の端部を読取開始端Ｖ１、反対側の端部を読取終了端Ｖ２とし、前後方向Ｈの基準点Ｏ側の端部を読取開始端Ｈ１、反対側の端部を読取り終了端Ｈ２と定義する。
【００２６】
（２）回動レバー及び押圧部周辺の構成（図４から図１１参照）
図７に表すように、原稿カバー９にはカバー側開口３５が設けられている。回動レバー１５は、他端１８がカバー側開口３５内に位置し、回動レバー１５の一端１７は付勢部材１９の付勢力によりカバー側開口３５外に突出し、回動レバー１５の他端１８側を支点として回動するように構成されている。  
具体的には、図９に表すように、原稿カバー９を閉状態にしたとき、原稿台５の載置面３と対向する下面の回動軸７寄りの位置に回動レバー１５を収容できる大きさの所定深さのカバー側開口３５が設けられている。このカバー側開口３５の回動軸７寄りの奥部に回動軸３７が水平に架け渡されている。
【００２７】
回動軸３７には、図１１に表すように、他端１８が二股に分れて軸受３９、３９を構成し、軸受３９、３９から一端１７にかけて延びるレバー本体４１と、一端１７に図５及び図８に表す半開状態に到達した状態で原稿台５の載置面３における読取開始端Ｈ１の外方に延長形成されている支持板部４５の上面とほぼ平行になるように斜めにカットされた当接面４３を有する回動レバー１５が装着されている。  
また、一方の軸受３９の外周には一例として捩りコイルばねによって構成される付勢部材１９のコイル部が外嵌されている。この捩りコイルばねの一端を回動レバー１５に係止し、他端を原稿カバー９のカバー側開口３５を形成している部材の適宜の部位に係止することで回動レバー１５が常時、原稿カバー９から遠ざかる方向Ｒ（図１、図７）に突出しようとする付勢力を付与している。
【００２８】
また、原稿カバー９が図６及び図９に表す閉状態のときは、回動レバー１５は一端１７側の少なくとも一部が押圧部１３に接して押し下げた状態で前記付勢力に抗してカバー側開口３５内に収納されるように構成されている。  
押圧部１３は支持板部４５の回動軸７側に設けられる揺動軸５１を支点として揺動自由端５３揺動する湾曲した翼板状の部材であり、該押圧部１３の揺動軸基部５７がスイッチ１１の状態を変化させる作用点になっている。
【００２９】
そして、図９及び図１０に表すように、原稿カバー９が閉状態のときは、回動レバー１５の一端１７に形成されている当接面４３の一部が押圧部１３の湾曲した上面の一部に当接して、該押圧部１３を下方に押し下げると共に、当接面４３が支持板部４５の上面に当接することで回動レバー１５を収容方向Ｃに回動させるため、その回動量に応じた量がカバー側開口３５内に収納される。
【００３０】
（３）原稿カバーの開閉状態と回動レバーの動きとスイッチの状態変化の関係（図４から図９参照）
次に、原稿カバー９の開閉状態を（Ａ）開状態、（Ｂ）半開状態、（Ｃ）閉状態、の３段階に分け、これらの各開閉状態に対応した回動レバー１５の動きと押圧部１３を介して実行されるスイッチ１１の状態変化の関係を具体的に説明する。
（Ａ）開状態（図４及び図７参照）
原稿カバー９が開状態のときは、回動レバー１５の一端１７側は付勢部材１９の付勢力によって突出方向Ｒいっぱいに回動した状態になっている。また、回動レバー１５の一端１７は、支持板部４５に形成されている原稿台側開口５５から上方に突出している押圧部１３の上面に対し離間した上方位置に位置しており、スイッチ１１の状態は変化していない（一例としてＯＦＦ状態である）。
【００３１】
スイッチ１１は本実施形態では上下方向Ｚにおいて原稿台５の支持板部４５の表面より下方に配置されており、該スイッチ１１に作用する揺動軸基部５７を有する押圧部１３における回動レバー１５の一端１７の当接面４３と接触する部位だけが原稿台側開口５５から原稿カバー９側に突出している。  
そして、回動レバー１５の当接面４３が押圧部１３に当接していない本状態では、押圧部１３は上限位置に位置しており、スイッチ１１の状態に変位をもたらせない（一例としてＯＦＦ状態のままである）。
【００３２】
（Ｂ）半開状態（図５及び図８参照）
原稿カバー９が閉方向に回動して半開状態に至ると、回動レバー１５の一端１７に設けられている当接面４３が、支持板部４５の表面とほぼ平行になり、該当接面４３の一部が押圧部１３の上面の適宜の位置に当接して該押圧部１３を、揺動軸５１を支点として揺動自由端５３側を下方に変位させる方向に揺動させる。  
これにより、スイッチ１１は揺動軸基部５７から下方に押し下げる方向の外力Ｆを受けるようになって、状態が変化する（一例としてＯＮ状態になる）。一方、この時の回動レバー１５の位置（角度）は前記（Ａ）の開状態と同じである。即ち、回動レバー１５の一端１７側は付勢部材１９の付勢力によって突出方向Ｒいっぱいに回動した状態になっている。
【００３３】
（Ｃ）閉状態（図６及び図９参照）
原稿カバー９が更に閉方向に回動して閉状態に至ると、回動レバー１５の一端１７に形成されている当接面４３が支持板部４５の表面に当接することにより、これ以上の下方への移動が規制される。  
これにより、回動レバー１５は回動軸３７を支点として付勢部位材１９の付勢力に抗して収容方向Ｃに回動するようになり、カバー側開口３５の内部にその回動角度に応じた所定の量が収納されて行く。
【００３４】
一方、回動レバー１５の一端１７に形成されている当接面４３はカバー側開口３５の周囲における支持板部４５の表面に接した状態で、滑りながら水平に当接支持板部４５の基端部に向けて移動する。  
このときの押圧部１３の揺動角度は前記（Ｂ）の半開状態と同じであり、スイッチ１１は前記変化した状態（一例としてＯＮ状態）をそのまま維持している。これにより、スイッチ１１の状態を元に戻す（一例としてＯＦＦ状態にする）押込み不足やスイッチ１１に破損をもたらす押込み過ぎ等の不具合の発生を低減し得るようになっている。
【００３５】
（４）原稿の有無、原稿カバーの開閉状態及び原稿サイズの検知処理の内容（図１２から図２０参照）
本実施形態では前述したように原稿台５に載置された原稿Ｐのサイズを検知するサイズ検知機構２５を備えており、原稿カバー９が前記開状態から前記閉状態に変位する過程でスイッチ１１の状態が変化したことをトリガーとしてサイズ検知機構２５を作動させるように構成されている。  
以下、本発明の実施形態に係る画像読取装置１を使用することによって実行される原稿Ｐの有無の判定及び原稿カバー９の開閉状態の検知から原稿Ｐのサイズの検出までの検知処理の内容の一例を図１２から図２０に基づいて具体的に説明する。
【００３６】
（Ａ）原稿サイズ検知処理の流れの概念（図１２参照）
ここで行う原稿サイズ検知処理は、原稿Ｐの読取時の原稿サイズを自動判定し、ユーザー操作を簡便にする処理である。そして、原稿サイズは、原稿台５の左右方向Ｖの読取開始端Ｖ１の近傍において前後方向Ｈに適宜の間隔を開けて配置される５個の原稿サイズ検知センサー２７Ａ、２７Ｂ、２７Ｃ、２７Ｄ、２７Ｅと、読取開始端Ｖ１から適宜の間隔を開けるとともに、左右方向Ｖ、前後方向Ｈのそれぞれが異なる位置に配置される２個の原稿サイズ検知センサー２７Ｆ、２７Ｇと、の計７個の原稿サイズ検知センサー２７の検知出力により判定される。
【００３７】
即ち、原稿Ｐが原稿台５にセットされる際の原稿カバー９の開閉状態をスイッチ１１とセンサー２１とによって検知し、半開状態と閉状態に２つの状態で７個の原稿サイズ検知センサー２７の検知出力から、各原稿サイズ検知センサー２７の位置での原稿Ｐの有無と原稿サイズ検知センサー２７の故障の有無とを判別して原稿Ｐのサイズを特定する。  
原稿サイズ検知処理は、原稿カバー９の全開状態の検出によりスタートするが、画像読取中、画像読取中にエラーが発生した時、自動原稿送り装置（ＡＤＦ）２９の使用中、自動原稿送り中にエラーが発生した時は原稿サイズ検知処理を実施しない。
【００３８】
具体的には以下の流れで原稿Ｐのサイズ検知処理が実施される。先ず、図１２中のステップＳ１により原稿カバー９の全開状態の検出によりユーザーによる原稿Ｐのセットの開始が認識される。次に、ステップＳ２に移行し、原稿カバー９の半開状態の検出（原稿カバー半開状態検知機構のスイッチ１１による）によりユーザーによる原稿Ｐのセットの終了と閉動作の開始が認識される。  
次に、ステップＳ３に移行して原稿カバー９の半開状態において原稿サイズの１回目の検知出力が取得される。次に、ステップＳ４に移行して原稿カバー９の閉状態の検出（閉状態検知用のセンサー２１による）によりユーザーによる閉動作の終了が認識される。
【００３９】
次に、ステップＳ５に移行して原稿カバー９の閉状態において原稿サイズの２回目の検知出力が取得される。次に、ステップＳ６に移行して２回の出力結果から原稿サイズ検知センサー２７が配置されている７個所での原稿Ｐの有無及び原稿サイズ検知センサー２７の故障の判定が判断される。  
次に、ステップＳ７に移行して前記判断結果を判定テーブルと比較して原稿Ｐのサイズを判定する。
【００４０】
（Ｂ）原稿カバーの開閉状態と開閉状態検知センサーの出力との関係（図１３参照）
原稿カバー９の開閉状態は、半開状態検知用のスイッチ１１と閉状態検知用のセンサー２１の２つの開閉状態検知センサーの出力により検知される。  
各センサー１１、２１の出力と原稿カバー９の開閉状態の関係は図１３に表す通りである。即ち、状態１はセンサー２１の出力信号がＬ（例えばＯＮ状態）でスイッチ１１の出力信号もＬ（例えばＯＮ状態）の場合で、この場合は原稿カバー９が閉状態であると検知される。
【００４１】
状態２はセンサー２１の出力信号がＨ（例えばＯＦＦ状態）でスイッチ１１の出力信号がＬ（例えばＯＮ状態）の場合で、この場合は半開状態と検知される。状態３はセンサー２１の出力信号がＬ（例えばＯＮ状態）でスイッチ１１の出力信号がＨ（例えばＯＦＦ状態）の場合で、実際は存在しないが動作上は開状態として扱う。  
状態４はセンサー２１の出力信号がＨ（例えばＯＦＦ状態）でスイッチ１１の出力信号もＨ（例えばＯＦＦ状態）の場合で、この場合は開状態と検知される。
【００４２】
（Ｃ）開閉状態検知センサーの故障状態と故障信号の関係（図１４参照）
閉状態検知用のセンサー２１と半開状態検知用のスイッチ１１は、それぞれ独立して故障する場合がある。これらの故障状態を図１４に表すように分類し、それぞれの故障状態で原稿カバー９の開閉状態の判定以外の対応、即ち故障しても問題がない対応を行う。従って、これらのセンサー２１とスイッチ１１に故障が発生した場合でもハードエラーとはしない。  
具体的には、これらのセンサー２１とスイッチ１１が出力信号Ｌ（例えばＯＮ状態）の状態で故障した場合には故障記号Ｅｒｒ−Ｌを出力して処理を行う。これらのセンサー２１とスイッチ１１が出力信号Ｈ（例えばＯＦＦ状態）の状態で故障した場合には故障記号Ｅｒｒ−Ｈを出力して処理を行う。そして、これらのセンサー２１とスイッチ１１が正常に動作している場合には故障記号Ｎｏｒｍａｌを出力して処理を行う。
【００４３】
（Ｄ）開閉状態検知センサーの故障状態と各状態での対応（図１５参照）
閉状態検知用のセンサー２１と半開状態検知用のスイッチ１１から故障記号が出力された場合には、図１５に表す対応をとる。具体的には、センサー２１がＮｏｒｍａｌでスイッチ１１もＮｏｒｍａｌの場合には両方とも正常であるから、正常に動作し、次に説明する原稿サイズ検知処理シーケンスに移行する。また、センサー２１がＮｏｒｍａｌでスイッチ１１がＥｒｒ−Ｌの場合には開状態（図１３中の状態４）と認識しないため、原稿サイズ検知処理シーケンスに移行しない。  
センサー２１がＮｏｒｍａｌでスイッチ１１がＥｒｒ−Ｈの場合には開状態（図１３中の状態４）と認識し原稿サイズ検知処理シーケンスに移行するが、それ以降の半開状態（図１３中の状態２）を認識しないため、それ以降の処理を行わない。また、センサー２１がＥｒｒ−Ｌでスイッチ１１がＮｏｒｍａｌの場合には開状態（図１３中の状態４）と認識しないため、原稿サイズ検知処理シーケンスに移行しない。
【００４４】
センサー２１がＥｒｒ−Ｌでスイッチ１１もＥｒｒ−Ｌの場合には開状態（図１３中の状態４）と認識しないため、原稿サイズ検知処理シーケンスに移行しない。また、センサー２１がＥｒｒ−Ｌでスイッチ１１がＥｒｒ-Ｈの場合には開状態（図１３中の状態４）と認識しないため、原稿サイズ検知処理シーケンスに移行しない。  
センサー２１がＥｒｒ−Ｈでスイッチ１１がＮｏｒｍａｌの場合には、開状態（図１３中の状態４）を認識するため原稿サイズ検知処理シーケンスに移行し、半開状態（図１３中の状態２）も認識するためそのまま処理を行い、閉状態（図１３中の状態１）を認識しないため、それ以降の処理を行わない。
【００４５】
センサー２１がＥｒｒ−Ｈでスイッチ１１がＥｒｒ−Ｌの場合には開状態（図１３中の状態４）と認識しないため、原稿サイズ検知処理シーケンスに移行しない。  
また、センサー２１がＥｒｒ−Ｈでスイッチ１１もＥｒｒ−Ｈの場合には開状態（図１３中の状態４）のままのため、原稿サイズ検知処理シーケンスに移行しない。
【００４６】
（Ｅ）原稿サイズ検知処理シーケンスの流れ（図１６参照）
以下のシーケンスを実行する場合の留意点ないし予備処理として以下の処理が行われる。先ず、電源ＯＮ時、及び低電力移行時は原稿Ｐのサイズは不定状態として処理を行う。また、原稿カバー９が開状態のときと原稿カバー９が半開状態のときは低電力に移行しない。  
また、読み取り等の別シーケンスが呼び出されたら、本シーケンスを抜け出して別シーケンスに移行する。以下、図１６に基づいて原稿サイズ検知処理シーケンスの流れを具体的に説明する。
【００４７】
先ず、ステップＳ１１で７個の原稿サイズ検知センサー２７Ａ〜２７ＧをすべてＯＦＦ状態にする。次に、ステップＳ１２に移行して原稿カバー９が開状態であるか否かの判断が行われる。ステップＳ１２で開状態であると判断された場合にはステップＳ１３に移行し原稿Ｐのサイズを不定状態にセットする。  
一方、ステップＳ１２で開状態でないと判断された場合には、ステップＳ１４に移行して原稿カバー９が半開状態か否かの判断が行われる。ステップＳ１４で半開状態であると判断された場合には、ステップＳ１５に移行し原稿Ｐのサイズを不定状態にセットして前記ステップＳ１１に戻り、ステップＳ１１以降の処理を繰り返し実行する。
【００４８】
また、ステップＳ１３に移行後はステップＳ１６に移行し、原稿カバー９が半開状態か否かの判断が行われる。ステップＳ１６で半開状態であると判断された場合には、ステップＳ１７に移行し、半開状態監視タイマーの計測を開始する。尚、ステップＳ１６で半開状態でないと判断された場合には、ステップＳ１６に戻り半開状態になるまでステップＳ１６の処理が繰り返し実行される。  
ステップＳ１７に移行後はステップＳ１８に移行し、７個の原稿サイズ検知センサー２７Ａ〜２７ＧをすべてＯＮ状態にする。次にステップＳ１９に移行して１０ｍｓ待ち、ステップＳ２０に移行して前記７個の原稿サイズ検知センサー２７Ａ〜２７Ｇの検知出力を取得し、ステップ２２に移行して、取得した７個の検知出力を原稿サイズ検出センサーの１回目の出力として保持する。
【００４９】
次に、ステップＳ２２に移行して原稿カバー９が閉状態か否かの判断が行われる。ステップＳ２２で閉状態であると判断された場合には、ステップＳ２３に移行し、閉状態待ちタイマーの計測を開始すると共に半開状態監視タイマーをリセットする。  
一方、ステップＳ２２で閉状態でないと判断された場合には、ステップＳ２４に移行して原稿カバー９が開状態か否かの判断が行われ、原稿カバー９が開状態と判断された場合は、更にステップＳ２６に移行して半開状態監視タイマーをリセット後、ステップＳ１１に戻り、ステップＳ１１以降の処理が再度実行される。また、ステップＳ２４で開状態でないと判断された場合には、ステップＳ２５に移行して半開状態監視タイマーが１０ｓ経過したか否かの判断が行われ、１０ｓ経過したと判断された場合には前記ステップＳ２６に移行して半開状態監視タイマーをリセット後、ステップＳ１１に戻り、１０ｓ経過していないと判断された場合にはステップＳ２２に戻り、ステップＳ２２以降の処理が再度実行される。
【００５０】
また、ステップＳ２３に移行後はステップＳ２７に移行し、閉状態待ちタイマーが０．５ｓ経過したか否かの判断が行われる。ステップＳ２７で０．５ｓ経過していると判断された場合にはステップＳ２８に移行して閉状態待ちタイマーをリセットする。  
一方、ステップＳ２７で０．５ｓ経過していないと判断された場合にはステップＳ２９に移行して、原稿カバー９が閉状態であるか否かの判断が再度実行される。ステップＳ２９で閉状態であると判断された場合にはステップＳ２７に戻ってステップＳ２７以降の処理が再度実行される。
【００５１】
また、ステップＳ２９で閉状態でないと判断された場合には、ステップＳ３０に移行して閉状態待ちタイマーをリセット後、ステップＳ３１に移行して原稿カバー９が開状態か半開状態かの判断が行われる。  
ステップＳ３１で開状態と判断された場合にはステップＳ１１に戻り、ステップＳ１１以降の処理が再度実行される。一方、ステップＳ３１で半開状態と判断された場合には、ステップＳ３２に移行して半開状態監視タイマーの計測を開始し、ステップＳ２２に戻りステップＳ２２以降の処理が再度実行される。
【００５２】
また、ステップＳ２７で０．５ｓ経過していると判断して、ステップＳ２８に移行後はステップＳ３３に移行して７個の原稿サイズ検知センサー２７Ａ〜２７Ｇの検知出力を取得する。次に、ステップＳ３４に移行して取得した７個の検知出力を原稿サイズ検出センサーの２回目の検知出力として保持する。  
次に、ステップＳ３５に移行して、原稿カバー９が閉状態か否かの判断が行われ、閉状態と判断された場合には、ステップＳ３６に移行して次に述べる図１７で表す原稿Ｐの有無判定を行い、更にステップＳ３７に移行して図１８で表す原稿Ｐのサイズ判定を行った後、ステップＳ１１に戻ってステップＳ１１以降の処理が繰り返し実行される。  
尚、ステップＳ３５で閉状態でないと判断された場合には、直ちにステップＳ１１に戻り、ステップＳ１１以降の処理が再度実行される。
【００５３】
（Ｆ）原稿の有無判定の流れ（図１７参照）
図１６のステップＳ３５で原稿カバー９が閉状態であると判断された場合には図１７に表す原稿Ｐの有無判定が７個の原稿サイズ検知センサー２７Ａ〜２７Ｇのすべてに対して実行される。  
先ず、ステップＳ４１で図１６中のステップＳ３４で保持した原稿サイズ検知センサー２７の２回目の検知出力がＬ（例えばＯＮ状態）であるか否かの判断が行われる。ステップＳ４１でＬ（例えばＯＮ状態）と判断された場合にはステップＳ４２に移行して図１６中のステップＳ２１で保持した原稿サイズ検知センサー２７の１回目の検知出力がＬ（例えばＯＮ状態）であるか否かの判断が行われる。
【００５４】
ステップＳ４２でＬ（例えばＯＮ状態）と判断された場合にはステップＳ４３に移行して原稿Ｐが有ると判定され図１６中のステップＳ３７に移行し、次に述べる原稿Ｐのサイズ判定が実行される。  
また、ステップＳ４１で原稿サイズ検知センサー２７の２回目の検知出力がＨ（例えばＯＦＦ状態）と判断された場合には、ステップＳ４４に移行して７個の原稿サイズ検知センサー２７Ａ〜２７Ｇの故障判定を行う。  
また、ステップＳ４２で原稿サイズ検知センサー２７の１回目の検知出力がＨ（例えばＯＦＦ状態）と判断された場合には、ステップＳ４５に移行して原稿Ｐが無いと判定される。
【００５５】
（Ｇ）原稿のサイズ判定の流れ（図１８参照）
図１７で表すフローチャートによって原稿Ｐの有無が判定されると、図１６中のステップＳ３７に移行して原稿Ｐのサイズ判定が実行される。  
先ず、ステップＳ５１で７個の原稿サイズ検知センサー２７Ａ〜２７Ｇ中に故障判定されたセンサーが有るか無いかの判断が行われる。ステップＳ５１で故障判定されたセンサーが無いと判断された場合にはステップＳ５２に移行し、各センサー２７Ａ〜２７Ｇにおける原稿Ｐの有無判定の結果が次に述べる図２０に表す原稿Ｐのサイズ判定テーブルと一致したか否かの判断が行われる。
【００５６】
ステップＳ５２で原稿Ｐのサイズ判定テーブルと一致したと判断された場合には、ステップＳ５３に移行して一致した原稿Ｐのサイズをセットされた原稿Ｐのサイズと判定する。  
一方、ステップＳ５１で故障判定されたセンサー２７が有ると判断された場合と、ステップＳ５２で原稿Ｐのサイズ判定テーブルと一致しないと判断された場合には、ステップＳ５４に移行して原稿Ｐのサイズ検出が不可であると判定する。
【００５７】
（Ｈ）原稿サイズと原稿サイズ検知センサーとの位置関係と、各原稿サイズ検知センサーによる原稿の有無検出結果に基づく原稿サイズの判定（図１９及び図２０参照）
本実施形態では、載置面３の左右方向Ｖの読取開始端Ｖ１に沿う位置に基準点Ｏに近い方から２７Ａ、２７Ｂ、２７、２７Ｄ、２７Ｅの順で５個の原稿サイズ検知センサーが配置されている。また、これら５個の原稿サイズ検知センサー２７Ａ〜２７Ｅから左右方向Ｖに離間し、左右方向Ｖ、前後方向Ｈのそれぞれが異なる位置に２個の原稿サイズ検知センサー２７Ｆ、２７Ｇが配置されている。  
また、図中、Ａ６Ｖで示す原稿ＰはＡ６サイズ縦向きでセットされた原稿Ｐを意味し、Ａ６Ｈで示す原稿ＰはＡ６サイズ縦向きでセットされた原稿Ｐを意味し、Ａ６Ｈで示す原稿ＰはＡ６サイズ横向きでセットされた原稿Ｐを意味している。同様にＡ５〜Ａ３、Ｂ６〜Ｂ４の各サイズの原稿Ｐも、縦向きでセットされたものは末尾に「Ｖ」を付け、横向きでセットされたものは末尾に「Ｈ」を付けてこれらを識別している。
【００５８】
そして、本実施形態では従来、図１９中、仮想線で表す位置に配置されていた原稿サイズ検知センサー２７Ｆの位置を実線で示す位置に移動しており、これにより従来識別できなかったＡ５Ｖの原稿Ｐを識別できるようにしている。  
このような配置の７個の原稿サイズ検知センサー２７Ａ〜２７Ｇによって判定できる原稿Ｐのサイズは図２０に表すサイズ判定テーブルの通りであり、Ａ５サイズ、Ｂ５サイズ、Ａ４サイズの原稿Ｐについては縦向きと横向きの両方、Ｂ４サイズとＡ３サイズの原稿Ｐについては、それぞれ縦向きの識別ができるようになっている。また、これより小さなＢ６サイズの原稿Ｐについても横向きについては識別でき、Ｂ６サイズの縦向きとＡ６サイズに縦向きと横向きの原稿Ｐについては原稿Ｐの有無の識別ができるように構成されている。
【００５９】
そして、このようにして構成される本実施形態に係る画像読取装置１によれば、従来走査ごとや装置ごとに検出結果にバラ付きが大きかった半開状態での原稿Ｐの有無の検知精度を高価な加速度センサーや透過型の光学センサー等を用いることなく安価でコンパクトな構造によって向上させることが可能になる。  
また、半開状態検知用のセンサーとして機械式の接点センサーであるスイッチ１１を使用することで不浄空気等の環境の影響を受けにくくすることが可能になる。更に、前述した構成の回動レバー１５と、押圧部１３と、カバー側開口３５と、原稿台側開口５５を備えた支持板部４５と、付勢部材１９と、を採用したことにより、原稿カバー９が半開状態から閉状態に移行する過程で回動レバー１５の一端１７の当接面４３が水平にスライドするため、スイッチ１１の押し不足や押し過ぎによる不具合の発生を低減させることができる。
【００６０】
[他の実施の形態]
本発明に係る画像読取装置１は、以上述べたような構成を有することを基本とするものであるが、本願発明の要旨を逸脱しない範囲での部分的構成の変更や省略等を行うことも勿論可能である。  
例えば前記実施形態で述べた構成を一般化した処理装置に適用することが可能である。この場合には該処理装置は画像読取装置１の原稿台５に対応する本体部と、画像読取装置１の原稿カバー９に対応する開閉カバーと、画像読取装置１と同様に押圧部１３と、回動レバー１５と、付勢部材１９と、を基本的に備えた処理装置が採用できる。
【００６１】
そして、このようにして構成される処理装置によれば、開閉カバーが開状態から閉状態に変位する過程で所定の角度θとなった際に、回動レバー１５の一端１７が、押圧部１３に外力Ｆを作用させて押圧部１３を押し下げてスイッチ１１の状態を変化させ、所定の角度θから閉状態に変位する過程においては、回動レバー１５の一端１７が前記付勢力に抗して開閉カバーに近づく方向Ｃに回動しながら、押圧部１３を押し下げてスイッチ１１の状態（例えばＯＮ状態）を維持し得るようになる。
【００６２】
また、本発明の画像読取装置１は、画像読取装置１単体で製品化されている専用機だけでなく、記録装置、ファクシミリ、複写機等と組み合わされた複合機に適用することも可能である。また、回動レバー１５を原稿カバー９に対して取り付ける向きを逆にして原稿カバー９の回動軸７側に回動レバー１５の一端１７が向くように配置してもよい。
【００６３】
この他、半開状態での検知処理を行う時の原稿カバー９の角度θは、前述した実施形態の説明の中で述べた角度θに限らず種々の角度が採用でき、光路を変えるミラー等の組み合わせにより更に大きな角度θでも所望の検出精度が得られる場合には、更に大きな角度θに設定することが可能である。  
また、原稿カバー９は自動原稿送り装置（ＡＤＦ）を有しない単なる蓋体としての機能のみを有するものであっても構わない。
【符号の説明】
【００６４】
１…画像読取装置、３…載置面、５…原稿台、７…回動軸、９…原稿カバー、
１１…スイッチ（半開状態検知用）、１３…押圧部、１５…回動レバー、１７…一端、
１８…他端、１９…付勢部材、２１…センサー（閉状態検知用）、２３…先端、
２５…サイズ検知機構、２７…原稿サイズ検知センサー、
２９…自動原稿送り装置（ＡＤＦ）、３１…原稿抑えマット、３３…読取部、
３５…カバー側開口、３７…回動軸、３９…軸受、４１…レバー本体、４３…当接面、
４５…支持板部、５１…揺動軸、５３…揺動自由端、５５…原稿台側開口、
５７…揺動軸基部、Ｐ…原稿、Ｆ…外力、Ｒ…遠ざかる方向（突出方向）、
Ｃ…近づく方向（収容方向）θ…角度、Ｈ…前後方向、Ｖ…左右方向、Ｏ…基準点、
Ｖ１…読取開始端、Ｖ２…読取終了端、Ｈ１…読取開始端、Ｈ２…読取終了端、
Ｚ…上下方向
【図１】
2018121161.tif 000003
【図２】
2018121161.tif 000004
【図３】
2018121161.tif 000005
【図４】
2018121161.tif 000006
【図５】
2018121161.tif 000007
【図６】
2018121161.tif 000008
【図７】
2018121161.tif 000009
【図８】
2018121161.tif 000010
【図９】
2018121161.tif 000011
【図１０】
2018121161.tif 000012
【図１１】
2018121161.tif 000013
【図１２】
2018121161.tif 000014
【図１３】
2018121161.tif 000015
【図１４】
2018121161.tif 000016
【図１５】
2018121161.tif 000017
【図１６】
2018121161.tif 000018
【図１７】
2018121161.tif 000019
【図１８】
2018121161.tif 000020
【図１９】
2018121161.tif 000021
【図２０】
2018121161.tif 000022